(57)【要約】【課題】監視対象の状態および監視対象の状態に関する情報をシンボル表示する場合、監視対象の状態および監視対象の状態に関する情報をシンボルから把握し易くする。【解決手段】電力系統における監視対象の状態を表示装置付監視制御端末３の画面３１上にシンボル表示する電力系統監視制御システムにおいて、前記表示装置付監視制御端末３の画面３１上に、監視対象を表す主シンボル４ｍを表示すると共に、前記主シンボルの近傍に前記監視対象の状態に関連する情報を表示する少なくとも一の補助シンボル１ａ，２ｂ，３ｃ，５ｄで表示することを特徴とする電力系統監視制御システム。【選択図】図２
2006311763.tif 000002
【特許請求の範囲】
【請求項１】
電力系統における監視対象の状態を表示装置付監視制御端末の画面上にシンボル表示する電力系統監視制御システムにおいて、前記表示装置付監視制御端末の画面上に、監視対象を表す主シンボルを表示すると共に、前記主シンボルの近傍に前記監視対象の状態に関連する情報を表示する少なくとも一の補助シンボルで表示することを特徴とする電力系統監視制御システム。
【請求項２】
請求項１に記載の電力系統監視制御システムにおいて、補助シンボルで表示する複数の情報に優先度を持たせ、その優先度に従って同じ場所に複数の補助シンボルで表示することを特徴とする電力系統監視制御システム。
【請求項３】
請求項１または請求項２に記載の電力系統監視制御システムにおいて、監視対象の状態によって主シンボルの態様を変化させることを特徴とする電力系統監視制御システム。
【請求項４】
請求項１〜３に記載の電力系統監視制御システムにおいて、複数の監視対象およびその状態に関連する情報を、共通の前記表示装置付監視制御端末の画面上に前記主シンボルおよび補助シンボルで表示することを特徴とする電力系統監視制御システム。
【請求項５】
請求項１〜４に記載の電力系統監視制御システムにおいて、前記主シンボルの面積が、補助シンボルの面積より大きいことを特徴とする電力系統監視制御システム。
【発明の詳細な説明】
【技術分野】
【０００１】
本発明は、電力系統における監視対象の状態を表示装置付監視制御端末上にシンボル表示する電力系統の監視制御システム、特にその表示に関するものである。
【背景技術】
【０００２】
電力系統における監視対象の状態を表示装置付監視制御端末上にシンボル表示する電力系統監視制御システムにおいては、従来、監視対象を一つのシンボルで表現し、そのシンボルの態様を変化させることで、監視対象の常態を表す手法が広く用いられている。例えばオン／オフの二つの状態を持つ遮断器等の監視対象の場合、監視対象をアイコンで表し、その色をオン時には赤、オフ時には緑に変化させるといった手法である。（例えば、特開平５−２３６５７５号公報を参照）
【０００３】
【特許文献１】特開平５−２３６５７５号公報（図２及びその説明）
【発明の開示】
【発明が解決しようとする課題】
【０００４】
前述のように、電力系統における監視対象の状態を表示装置付監視制御端末上にシンボル表示する従来の電力系統監視制御システムにおいては、監視対象が例えばオン／オフの二つの状態を持つ場合、監視対象をアイコンで表し、その色をオン時には赤、オフ時には緑に変化させるといった具合に、監視対象を一つのシンボルで表現し、そのシンボルの態様を変化させているので、操作員は監視対象の状態をシンボルの態様で把握することができ、文字表示等に比べ把握し易いが、監視対象の状態および監視対象の状態に関する情報をシンボル表示したい場合は、シンボルの態様変化パターン数が多くなり、操作員には寧ろ把握し難くなる。
【０００５】
この発明は、前述のような実情に鑑みてなされたもので、監視対象の状態および監視対象の状態に関する情報をシンボル表示する場合、監視対象の状態および監視対象の状態に関する情報をシンボルから把握し易くすることを目的とするものである。
【課題を解決するための手段】
【０００６】
この発明に係る電力系統監視制御システムは、電力系統における監視対象の状態を表示装置付監視制御端末の画面上にシンボル表示する電力系統監視制御システムにおいて、前記表示装置付監視制御端末の画面上に、監視対象を表す主シンボルを表示すると共に、前記主シンボルの近傍に前記監視対象の状態に関連する情報を表示する少なくとも一の補助シンボルで表示するものである。
【発明の効果】
【０００７】
この発明は、電力系統における監視対象の状態を表示装置付監視制御端末の画面上にシンボル表示する電力系統監視制御システムにおいて、前記表示装置付監視制御端末の画面上に、監視対象を表す主シンボルを表示すると共に、前記主シンボルの近傍に前記監視対象の状態に関連する情報を表示する少なくとも一の補助シンボルで表示するので、監視対象の状態だけでなく、監視対象の状態に関する情報をも、シンボルで把握し易く表示することできる効果がある。
【発明を実施するための最良の形態】
【０００８】
実施の形態１．
以下この発明の実施の形態１を図１〜図３により説明する。図１は電力系統構成の事例を示す図、図２は表示装置付監視制御端末上にシンボル表示する事例を示す図、図３はシンボル表示の形態の事例を示す図で、（ａ）はシンボルの定義を、（ｂ）は状態に応じた表示例を例示してある。なお、各図中、同一符合は同一部分を示す。
【０００９】
図１は変電所内の電力系統の事例を示してあり、図１に示すように、例えば変電所１内の電力系統には、変圧器Ｔｒ、遮断器ＣＢ、断路器ＤＳ、リレー（図示省略）などの多数の監視対象が設置されている。
【００１０】
また、ベイ（ＢＡＹ）と呼ばれる複数の監視制御単位Bay1，Bay2，・・・で電力系統は構成されている。前記複数の監視制御単位Bay1，Bay2，・・・の各々に対して監視制御する監視制御ユニットBCU1，BCU2，・・・が設けられ、これら監視制御ユニットBCU1，BCU2，・・・は、制御所２内のＨＭＩ（Human  Machine  Interface）等の表示装置付監視制御端末３に、ＬＡＮ等の通信ネットワーク４およびサーバ５を介して接続され、監視制御単位Bay1，Bay2，・・・は、対応する監視制御ユニットBCU1，BCU2，・・・で個別に監視制御され、更に、表示装置付監視制御端末３により総合的に監視制御される。
【００１１】
このような電力系統においては、一時的な事故や故障、永久的な事故や故障、試験点検、などの各種イベントがあり、その都度遮断器ＣＢはオフ状態、オン状態の状態変化をする。
【００１２】
一時的な事故や故障、永久的な事故や故障は、その原因や発生場所の確認、停電復帰などを総合的に監視制御する必要があり、監視制御単位Bay1，Bay2，・・・全体を対象にして制御所２の表示装置付監視制御端末３で監視制御される。
【００１３】
試験点検は、現場業務であり、監視制御単位Bay1，Bay2，・・・毎に、遮断器ＣＢおよび断路器ＤＳをオフにした無充電状態下で行われる。また、試験点検時には、表示装置付監視制御端末３側から誤って遮断器ＣＢをオン制御されることのないようにその旨の表示を表示装置付監視制御端末３上に表示するのが好ましい。
【００１４】
そこで、この発明の実施の形態１では、図２に示すように、表示装置付監視制御端末３の画面３１上に、監視対象（変圧器Ｔｒ、遮断器ＣＢ、断路器ＤＳ、リレー等）そのものを表す主シンボル４ｍと、前記監視対象の状態や当該状態に関する情報Ａ〜Ｃにあることを示す補助シンボル１ａ，２ｂ，３ｃを近接して並べて表示する。前記監視対象の状態とは、例えば、遮断器ＣＢのオンやオフの状態、監視対象の状態に関する情報Ａ（補助シンボル１ａが表示する情報）は、例えば遮断器ＣＢをオンオフ制御可能な場所（前記表示装置付監視制御端末、前記ベイの現場）、監視対象の状態に関する情報Ｂ（補助シンボル２ｂが表示する情報）は、例えば遮断器ＣＢのオン／オフの状態、監視対象の状態に関する情報Ｃ（補助シンボル３ｃが表示する情報）は、例えば試験点検に関する情報である。
【００１５】
表示装置付監視制御端末３の画面上には監視対象が常時主シンボル４ｍで表示されており、監視対象が状態あるいは当該状態に関する情報がＡになった場合には、補助シンボル１ａが表示される。同様に、監視対象の状態に関する情報が、Ｂになった場合には補助シンボル２ｂが、Ｃになった場合には補助シンボル３ｃが表示される。監視対象の状態およびその関連情報がＡかつＢとなった場合には、補助シンボル１ａと補助シンボル２ｂの両方が表示される。
【００１６】
なお、前記主シンボル４ｍの面積は、補助シンボル１ａ，２ｂ，３ｃ，・・・の面積より大きくし、視覚的に把握し易くしてある。
【００１７】
また、複数の監視対象（変圧器Ｔｒ、遮断器ＣＢ、断路器ＤＳ、リレー等）およびその状態に関連する情報は、共通の前記表示装置付監視制御端末３の画面上３１に、同時に或は択一的に、前記主シンボルおよび補助シンボルで表示する。
【００１８】
このように構成されたシンボルにおいては、監視対象の状態や当該状態の関連情報を補助シンボル１ａ，２ｂ，３ｃ，・・・で表すので主シンボル４ｍ自体の態様パターンを減らすことができ、操作員が監視対象の状態や当該状態の関連情報を把握しやすくなる。
また、監視対象が同時に複数の状態を持つ場合でも、それぞれの状態に対応した複数の補助シンボルを同時に表示することで、その状態を表現することができる。
【００１９】
実施の形態２．
実施の形態１では、各補助シンボルを一列に並べて表示する方法を示したが、図４に示すように、補助シンボルに表示の優先度を持たせて同じ場所に複数の補助シンボルを表示することもできる。図４において、情報Ａと情報Ｄとでは情報Ｄの方が優先度を高く設定してあり、これら情報Ａ，Ｄは、図４に例示するように同じ場所に、重ねて、優先度が高い情報Ｄを上側にして表示される。なお、優先順位のある情報Ａ，Ｄが双方ともある場合は、図４（ｂ）に示すように、画面３１上には、優先度の高い情報Ｄのみを補助シンボル５ｄのみ表示されるようにしてもよい。この発明の実施の形態２は、監視対象に関する情報（状態）がある情報（状態）Ａになった際に、別の情報（状態）Ｄの発生が無視できなくなった場合、例えば、表示装置付監視制御端末３側から遮断器ＣＢの制御ができる状態にある場合に、ベイの現場で試験点検の必要が発生した場合など、現場での遮断器ＣＢや断路器ＤＳの制御を、表示装置付監視制御端末からの制御より優先させる必要がある場合に好都合である。このように優先表示することによって補助シンボルの種類が多くなった場合でも、画面の表示領域を少なく且つ視覚での把握を容易にすることができる。
【００２０】
実施の形態３．
前述のこの発明の実施の形態１、２では、主シンボル４ｍの態様が変化することは無かったが、これを変化させることも可能である。図５（ａ）はシンボル表示の定義を、図５はシンボル表示例を、それぞれ例示してあり、図示のように、主シンボル４ｍは、監視対象の状態に対応して態様１と態様２の二つの態様に変化する。補助シンボル１ａ〜３ｃは、前述の実施の形態１または実施の形態２と同様である。
【００２１】
この発明の実施の形態３の場合は、例えば監視対象が遮断器ＣＢのように開閉（オン／オフ）するようなものであるとき、主シンボルの表示態様態切り替え（オン時は「青」、オフ時は「赤」、或はその逆）によって監視対象の主な状態変化であるオン／オフを表し、遮断器ＣＢ等の監視対象の故障状態など補助的な状態を補助シンボルで表現することで、監視対象の状態やその関連情報をより直感的に表現することができる。
【図面の簡単な説明】
【００２２】
【図１】この発明の実施の形態１を示す図で、電力系統構成の事例を示す図である。
【図２】この発明の実施の形態１を示す図で、表示装置付監視制御端末上にシンボル表示する事例を示す図である。
【図３】この発明の実施の形態１を示す図で、シンボル表示の形態の事例を示す図であり、（ａ）はシンボルの定義を、（ｂ）は状態に応じた表示例を例示する図である。
【図４】この発明の実施の形態２を示す図で、シンボル表示の形態の事例を示す図であり、（ａ）はシンボルの定義を、（ｂ）は状態に応じた表示例を例示する図である。
【図５】この発明の実施の形態３を示す図で、シンボル表示の形態の事例を示す図であり、（ａ）はシンボルの定義を、（ｂ）は状態に応じた表示例を例示する図である。
【符号の説明】
【００２３】
１    変電所、
２    制御室、
３    表示装置付監視制御端末、
３１    画面、
４    通信ネットワーク、
５    サーバ、
Ｂａｙ１〜Ｂａｙ６    監視制御単位のベイ、
Ｔｒ    変圧器、
ＣＢ    遮断器、
ＤＳ    断路器、
１ａ，２ｂ，３ｃ，５ｄ    補助シンボル、
４ｍ，４ｍｓ    主シンボル。
【図１】
2006311763.tif 000003
【図２】
2006311763.tif 000004
【図３】
2006311763.tif 000005
【図４】
2006311763.tif 000006
【図５】
2006311763.tif 000007